(57)【要約】【課題】電子機器本体と表示部の開閉動作と連動させることでコネクタやカードなどの開口部の蓋を容易に自動的に開閉し使用者の手間を省くとともに、蓋の閉め忘れを防止して埃や水などの異物の混入を防ぎ、電子機器の信頼性を向上させる。【解決手段】ヒンジ１３と同軸に設けられて液晶表示部１２の側面部１２ａに固定された駆動プーリー２５と、駆動プーリー２５と駆動ワイヤー２７で連結されてパソコン本体１１の側面部１１ａに回動自在に固定された従動プーリー２６と、従動プーリー２６に同軸に固定された第１の伝達プーリー２２と、蓋部１６を挟んでパソコン本体１１の側面部１１ａに回転自在に軸支された第２の伝達プーリー２３と、第１の伝達プーリー２２と第２の伝達プーリー２３間に張られ蓋部１６に連結されたワイヤー２４とを備えている。【選択図】図１
2011018667.tif 000002
【特許請求の範囲】
【請求項１】
電子機器本体と表示部がヒンジにより開閉自在に支持されるとともに、前記電子機器本体の側面部に外部機器との接続端子部と前記接続端子部に蓋をする蓋部とを有する電子機器であって、
前記ヒンジと同軸に設けられて前記表示部の側面に固定された駆動プーリーと、前記駆動プーリーと駆動ワイヤーで連結され前記電子機器本体の側面部に回動自在に固定された従動プーリーと、前記従動プーリーに同軸に固定された第１の伝達プーリーと、前記蓋部を挟んで前記電子機器本体の側面部に回転自在に軸支された第２の伝達プーリーと、前記第１の伝達プーリーと前記第２の伝達プーリー間に張られ前記蓋部に連結されたワイヤーとを備えたことを特徴とする電子機器。
【請求項２】
電子機器本体と表示部がヒンジにより開閉自在に支持されるとともに、前記電子機器本体の側面部に外部機器との接続端子部と前記接続端子部に蓋をする蓋部とを有する電子機器であって、
前記ヒンジと同軸に設けられて前記表示部の側面に固定された駆動歯車と、前記駆動歯車と連動して前記電子機器本体の側面部に回動自在に軸支された第１の動力伝達手段と、前記動力伝達手段と連動して前記蓋部を移動させる第２の動力伝達手段とを備えたことを特徴とする電子機器。
【請求項３】
前記第１の動力伝達手段が、前記駆動歯車に連動して前記電子機器本体の側面部に回動自在に軸支された第１の従動歯車と、前記第１の従動歯車より径が大きく前記第１の従動歯車と同軸に固定されるとともに前記第２の動力伝達手段に連動する第２の従動歯車とを備えることを特徴とする請求項２に記載の電子機器。
【請求項４】
前記駆動歯車と前記第１の動力伝達手段との間に、前記電子機器本体の側面に回動自在に軸支された遊び歯車を備えたことを特徴とする請求項３に記載の電子機器。
【請求項５】
前記第２の動力伝達手段が、前記第１の動力伝達手段に連動するとともに端部が前記蓋部に連結されたラック歯車を備えたことを特徴とする請求項３に記載の電子機器。
【請求項６】
前記第２の動力伝達手段が、前記第１の動力伝達手段に同軸的に固定された第１の伝達プーリーと、前記蓋部を挟んで前記電子機器本体の側面に回転自在に軸支された第２の伝達プーリーと、前記第１の伝達プーリーと前記第２の伝達プーリー間に張られ前記蓋部に連結されたワイヤーとを備えたことを特徴とする請求項２に記載の電子機器。
【発明の詳細な説明】
【技術分野】
【０００１】
本発明は、ノート型パソコンやモバイルパソコンなど、電子機器本体と表示部が開閉可能に構成された電子機器に関する。
【背景技術】
【０００２】
近年、ノート型パソコンやモバイルパソコン、ネットブックなど、電子機器本体と表示部が開閉可能に構成されたモバイル用途の電子機器が増加している。これらモバイル用途の電子機器においては、外部周辺機器と接続するためのＵＳＢ端子接続部やカード装着接続部などの開口部が側面に設けられている。
【０００３】
一方、モバイル用途の電子機器においては、埃や水などの異物にさらされる機会が多いことから、これら異物の混入を防ぐために、電子機器に設けられた開口部には蓋が設けられている。したがって、外部周辺機器と接続する際には、これら開口部の蓋を使用者が手動で開き、使用後は同様に手動で閉じることが必要である。しかし、使用時に毎回開口部の蓋を開くのは煩雑であるとともに、使用後に開口部の蓋を閉め忘れて埃や水などの異物が混入し、電子機器に障害を生じさせるなどの課題を発生させるものであった。
【０００４】
そこで、このような課題を解決するために、電子機器本体と表示部とを開閉する際に、表示部に設けられたロック用爪が電子機器本体に設けられたアームを駆動する構成とし、アームが駆動されることで電子機器のプリンター排紙口やコネクタなどの開口部の蓋を開閉する構成が特許文献１に開示されている。
【先行技術文献】
【特許文献】
【０００５】
【特許文献１】特開２００２−１３２３８３号公報
【発明の概要】
【発明が解決しようとする課題】
【０００６】
特許文献１に示した従来の電子機器では、ロック用爪によりコネクタなどの開口部を開閉する構成になっている。しかしながら、ロック用爪の長さが５ｍｍ程度と短く、電子機器本体と表示部が密着する寸前の５ｍｍ程度（角度にして１０度程度）の短いストロークでアームを駆動しコネクタなどの開口部の蓋を開閉することが必要となる。そのため、開口部の蓋の開閉を行うロック用爪に大きな負荷が掛かり、電子機器本体と表示部の開閉が行いにくいといった課題がある。
【０００７】
本発明は上記課題を解決するためになされたもので、電子機器本体と表示部の開閉動作と連動させることでコネクタやカードなどの開口部の蓋開閉を容易に行い、使用者の蓋開閉の手間を省くとともに、蓋の閉め忘れを防止して埃や水などの異物の混入を防ぎ、電子機器の信頼性を向上させることを目的とする。
【課題を解決するための手段】
【０００８】
上述したような目的を達成するために、本発明の電子機器は、電子機器本体と表示部がヒンジにより開閉自在に支持されるとともに、電子機器本体の側面部に外部機器との接続端子部と接続端子部に蓋をする蓋部とを有する電子機器であって、ヒンジと同軸に設けられて表示部の側面に固定された駆動プーリーと、駆動プーリーと駆動ワイヤーで連結され電子機器本体の側面部に回動自在に固定された従動プーリーと、従動プーリーに同軸に固定された第１の伝達プーリーと、蓋部を挟んで電子機器本体の側面部に回転自在に軸支された第２の伝達プーリーと、第１の伝達プーリーと第２の伝達プーリー間に張られて蓋部に連結されたワイヤーとを備えている。
【０００９】
このような構成によれば、表示部の開閉に応じて、表示部に固定された駆動プーリーの回転により蓋部を移動させることができ、接続端子部への蓋部による蓋を自動的に行うことができる。その結果、電子機器を使用しない場合には、接続端子部への埃や水などの異物の混入を防ぎ、電子機器の信頼性を向上させることができる。さらに表示部を９０度以上開閉するという長いストロークの間に蓋部の移動を行うので、過度な負荷を掛けることなく電子機器本体と表示部との開閉を行うことができる。
【００１０】
また、本発明の電子機器は、電子機器本体と表示部がヒンジにより開閉自在に支持されるとともに、電子機器本体の側面部に外部機器との接続端子部と接続端子部に蓋をする蓋部とを有する電子機器であって、ヒンジと同軸に設けられて表示部の側面に固定された駆動歯車と、駆動歯車と連動して電子機器本体の側面部に回動自在に軸支された第１の動力伝達手段と、第１の動力伝達手段と連動して蓋部を移動させる第２の動力伝達手段とを備えている。
【００１１】
このような構成によれば、表示部の開閉に応じて、表示部に固定された駆動歯車の回転により蓋部を移動させることができ、接続端子部への蓋部による蓋を自動的に行うことができる。その結果、電子機器を使用しない場合には、接続端子部への埃や水などの異物の混入を防ぎ、電子機器の信頼性を向上させることができる。さらに表示部を９０度以上開閉するという長いストロークの間に蓋部の移動を行うので、過度な負荷を掛けることなく電子機器本体と表示部との開閉を行うことができる。
【００１２】
さらに、第１の動力伝達手段が、駆動歯車に連動して電子機器本体の側面部に回動自在に軸支された第１の従動歯車と、第１の従動歯車より径が大きく第１の従動歯車と同軸に固定されるとともに第２の動力伝達手段に連動する第２の従動歯車とを備えることが望ましい。このような構成によれば、表示部の開閉動作を拡大して第２の動力伝達手段に連動させることができるので、移動範囲の大きな蓋部の移動が可能になる。
【００１３】
さらに、駆動歯車と第１の動力伝達手段との間に、電子機器本体の側面に回動自在に軸支された遊び歯車を備えることが望ましい。このような構成によれば、従動歯車の固定位置を自由に設定できるので第２の動力伝達手段や蓋部の配置を容易にすることができる。
【００１４】
さらに、第２の動力伝達手段が、第１の動力伝達手段に連動するとともに端部が蓋部に連結されたラック歯車を備えることが望ましい。このような構成によれば、第１の動力伝達手段の回転運動を簡単な構造で直線運動に変換することができ、蓋部による接続端子部への蓋の開閉を容易に行うことができる。
【００１５】
さらに、第２の動力伝達手段が、第１の動力伝達手段に同軸的に固定された第１の伝達プーリーと、蓋部を挟んで電子機器本体の側面に回転自在に軸支された第２の伝達プーリーと、第１の伝達プーリーと第２の伝達プーリー間に張られて蓋部に連結されたワイヤーとを備えることが望ましい。このような構成によれば、従動歯車の回転運動を簡単な構造で直線運動に変換することができ、蓋部による接続端子部への蓋の開閉を容易に行うことができる。
【発明の効果】
【００１６】
本発明の電子機器によれば、表示部の開閉に応じて、接続端子部への蓋部による蓋を自動的に行うことができ、電子機器を使用しない場合には、接続端子部への埃や水などの異物の混入を防ぎ、電子機器の信頼性を向上させることができる。
【図面の簡単な説明】
【００１７】
【図１】本発明の実施の形態１における電子機器の側面図である。
【図２】本発明の実施の形態２における電子機器の側面図である。
【図３】本発明の実施の形態３における電子機器の側面図である。
【発明を実施するための形態】
【００１８】
以下、本発明の電子機器における一実施の形態について、ノート型パーソナルコンピュータ（以下、パソコンと称す）を例に挙げ、図面を参照しながら説明する。
【００１９】
（実施の形態１）
図１は実施の形態１におけるパソコンの側面図である。図１（ａ）はパソコンの表示部が閉じられた状態を示し、図１（ｂ）はパソコンの表示部が開かれた状態を示している。なお、図１には、側面部の状態を判りやすくするために、一般的には側面部に設けられているカバーを外した状態で示している。
【００２０】
図１において、パソコン１０は、パソコン本体１１と表示部である液晶表示部１２がヒンジ１３により開閉自在に支持されている。すなわち、パソコン１０が不使用の状態は図１（ａ）の状態であり、パソコン本体１１と液晶表示部１２とが閉じられている状態である。一方、パソコン１０を使用する状態は図１（ｂ）の状態であり、パソコン本体１１と液晶表示部１２とが開かれた状態である。
【００２１】
パソコン本体１１の側面部１１ａには、外部機器との接続端子部１４を設けた開口部１５が設けられている。また、この開口部１５に蓋をして、外部からの埃や水などの浸入を防止するための蓋部１６が設けられている。
【００２２】
図１において、液晶表示部１２の側面部１２ａにはヒンジ１３と同軸になるように駆動プーリー２５が固定されている。一方、パソコン本体１１の側面部１１ａには従動プーリー２６が回動自在に軸支されている。駆動プーリー２５と従動プーリー２６の外周にはそれぞれＶ形の溝が形成され（図示せず）、このＶ形の溝に装着される状態で駆動プーリー２５と従動プーリー２６の間にワイヤー２７が張られている。従動プーリー２６にはこれより径が大きい第１の伝達プーリー２２が従動プーリー２６と同軸となるように一体的に固定されている。また、側面部１１ａには、開口部１５を挟んで第２の伝達プーリー２３が回転自在に軸支されている。第１の伝達プーリー２２と第２の伝達プーリー２３の外周にはそれぞれＶ形の溝が形成され（図示せず）、このＶ形の溝に装着される状態で第１の伝達プーリー２２と第２の伝達プーリー２３の間にワイヤー２４が張られている。さらに、ワイヤー２４には蓋部１６が連結されている。
【００２３】
このような構成において、パソコン本体１１と液晶表示部１２とを図３（ａ）に示す閉じられた状態から、図３（ｂ）に示すように開いていくと、駆動プーリー２５が矢印Ａ方向に回転し、従動プーリー２６と第１の伝達プーリー２２は矢印Ｃ方向に回転する。その結果、第２の伝達プーリー２３との間に張られたワイヤー２４は矢印Ｄ方向に移動し、ワイヤー２４に連結された蓋部１６も矢印Ｄ方向に移動して開口部１５を開放させることができる。
【００２４】
一方、パソコン１０の使用が終了した状態で、パソコン本体１１と液晶表示部１２とを閉じていくと、上述と逆の動作で開口部１５に蓋をするように蓋部１６を移動させることができる。このような構成によれば、より簡単な構造で開口部１５の蓋部１６を自動的に開閉することができる。
【００２５】
このように、接続端子部１４が設けられた開口部１５の蓋部１６を、液晶表示部１２の開閉に応じて自動的に開閉させることが可能となる。そのため、使用者がパソコン１０を使用中には常に開口部１５を開放するように蓋部１６を移動させて、接続端子部１４への外部機器の接続が可能となる。一方、パソコン１０を使用しない状態の液晶表示部１２を閉じた状態では、開口部１５を蓋部１６によって閉じた状態とすることができる。
【００２６】
実施の形態１によれば、このような蓋部１６の開閉動作を液晶表示部１２の開閉動作と連動して自動で行うことができ、蓋部１６を開閉する手間を省くことができるとともに、蓋部１６の閉め忘れなどを防止することもできる。そのため、外部からの埃や水などの異物の混入を防ぎ、電子機器の信頼性を向上させることができる。
【００２７】
さらに、液晶表示部１２は通常９０度以上開閉するので、このような長いストロークの間に開口部１５の蓋部１６をゆっくり開閉することができる。したがって、開口部１５と蓋部１６との間に密閉用のパッキンなどを備えた構成の場合でも、過度な負荷を掛けることなくパソコン本体１１と液晶表示部１２との開閉を行うことができる。
【００２８】
なお、上述の説明では、駆動プーリー２５、従動プーリー２６、第１の伝達プーリー２２、第２の伝達プーリー２３などは、その外周にはそれぞれＶ形の溝が形成され、ワイヤー２７とワイヤー２４とがそれらのＶ形の溝に嵌り込み動力が伝達されるとして説明した。
【００２９】
しかしながら、これらの動力伝達を確実に、摩擦ロスなしに行えるように、それぞれのプーリーにはその外周に矩形などの溝を形成し、さらにワイヤーにそれらの溝と噛み合う突起部を形成してもよい。
【００３０】
（実施の形態２）
図２は実施の形態２におけるパソコンの側面図である。図２において図１と同じ構成については同じ符号を用い説明を省略する。
【００３１】
実施の形態２においては、液晶表示部１２の側面部１２ａには、パソコン本体１１と液晶表示部１２とを開閉自在に支持しているヒンジ１３と同軸になるように駆動歯車１７が固定されている。また、パソコン本体１１の側面部１１ａには、駆動歯車１７と噛み合う遊び歯車１８が回動自在に軸支されている。さらに、遊び歯車１８と噛み合う第１の従動歯車１９と、第１の従動歯車１９より径が大きく第１の従動歯車１９と同軸で一体的に軸支された第２の従動歯車２０とが、パソコン本体１１の側面部１１ａに回動自在に軸支されている。すなわち、第１の従動歯車１９と第２の従動歯車２０とで、第１の動力伝達手段を構成している。
【００３２】
また、第２の従動歯車２０には、第２の従動歯車２０の回転運動を直線運動に変換する第２の動力伝達手段であるラック歯車２１が噛み合い、ラック歯車２１の端部は蓋部１６に連結されている。
【００３３】
このようなパソコン１０の構成において、パソコン１０を使用するために、パソコン本体１１と液晶表示部１２とを図２（ａ）に示す閉じられた状態から図２（ｂ）に示すように開いていくと、駆動歯車１７は矢印Ａ方向に回転する。このとき、駆動歯車１７に噛み合った遊び歯車１８は矢印Ｂ方向に回転し、遊び歯車１８に噛み合った第１の従動歯車１９と、第１の従動歯車１９と同軸に一体固定された第２の従動歯車２０は矢印Ｃ方向に回転する。そして、第２の従動歯車２０に噛み合ったラック歯車２１は矢印Ｄ方向に移動し、ラック歯車２１に連結された蓋部１６が開口部１５を開放するように移動する。
【００３４】
一方、パソコン１０の使用が終了し、パソコン本体１１と液晶表示部１２とを閉じていくと、上述と逆の動作で開口部１５が蓋部１６によって蓋をされ外部と遮断される。
【００３５】
なお、実施の形態２では遊び歯車１８を設けている。遊び歯車１８を設けなくても、蓋部１６の開閉動作を行うように構成することは可能であるが、遊び歯車１８を設けることによって、第１の従動歯車１９、第２の従動歯車２０の取り付け位置を自由に設定でき、第２の動力伝達手段であるラック歯車２１や蓋部１６の配置を任意の位置とすることが可能となる。
【００３６】
また、実施の形態２では、第１の従動歯車１９の径よりも第２の従動歯車２０の径を大きくしている。このように構成することで、液晶表示部１２の開閉動作を拡大してラック歯車２１に伝えることができるので、ラック歯車２１の移動ストロークを大きくすることが可能となり、より幅の広い開口部１５などにも対応が可能となる。
【００３７】
（実施の形態３）
図３は実施の形態３におけるパソコンの側面図である。図３において図２と同じ構成については同じ符号を用い説明を省略する。
【００３８】
実施の形態３が実施の形態２と異なるのは、実施の形態２における第２の動力伝達手段であるラック歯車２１に代えて、一対のプーリーとこれに張られたワイヤーを用いたことである。この場合、実施の形態２における第２の従動歯車２０を第２の動力伝達手段の一部として構成している。
【００３９】
すなわち、図３に示すように、第１の従動歯車１９には、これより径が大きい第１の伝達プーリー２２が第１の従動歯車１９と同軸となるように一体的に固定されている。さらに、パソコン本体１１の側面部１１ａには、開口部１５を挟んで第２の伝達プーリー２３が回転自在に軸支されている。第１の伝達プーリー２２と第２の伝達プーリー２３の外周にはそれぞれＶ形の溝が形成され（図示せず）、このＶ形の溝に装着される状態で第１の伝達プーリー２２と第２の伝達プーリー２３の間にワイヤー２４が張られている。ワイヤー２４には蓋部１６が連結されている。したがって、第２の動力伝達手段は、第１の伝達プーリー２２と第２の伝達プーリー２３とワイヤー２４とにより構成されている。
【００４０】
このような構成において、パソコン１０を使用するために、パソコン本体１１と液晶表示部１２とを図３（ａ）に示す閉じられた状態から図３（ｂ）に示すように開いていくと、駆動歯車１７は矢印Ａ方向に回転する。また、遊び歯車１８は矢印Ｂ方向、第１の従動歯車１９と第１の伝達プーリー２２は矢印Ｃ方向に回転し、第２の伝達プーリー２３との間に張られたワイヤー２４が矢印Ｄ方向に移動する。この結果、ワイヤー２４に連結された蓋部１６も矢印Ｄ方向に移動し、開口部１５を開放させることができる。
【００４１】
一方、パソコン１０の使用が終了した状態で、パソコン本体１１と液晶表示部１２とを閉じていくと、上述と逆の動作で開口部１５に蓋をするように蓋部１６を移動させることができる。このような構成によれば、より簡単な構成で開口部１５への蓋部１６による開閉を自動的にすることができる。
【００４２】
なお、実施の形態１と同様に、それぞれのプーリーにはその外周に矩形などの溝を形成し、さらにワイヤーにそれらの溝と噛み合う突起部を形成してもよい。
【００４３】
また、実施の形態２の図２と実施の形態３の図３において、駆動歯車１７はその全外周にわたって歯車が形成された例を示しているが、必ずしも全外周にわたって歯車を形成する必要はなく、液晶表示部１２の開閉角度に応じて歯車の形成角度を決定すればよい。
【００４４】
なお、上述の実施の形態においては電子機器としてパソコンの例について示したが、モバイルパソコン、ネットブックなど、電子機器本体と表示部が開閉可能に構成されたモバイル用途の電子機器についても同様の作用効果が得られる。
【００４５】
以上述べたように、本発明の電子機器によれば、電子機器本体と表示部の開閉動作と連動させることで、接続端子部の開口部の蓋部を自動的に開閉でき、蓋の閉め忘れを防止して埃や水などの異物の混入を防ぐ信頼性の高い電子機器を実現することができる。
【産業上の利用可能性】
【００４６】
本発明による電子機器は、接続端子部などへの蓋の開閉を容易にし、蓋の閉め忘れを防止することで埃や水などの異物の混入を防ぎ、ノート型パソコンやモバイルパソコン、ネットブックなどモバイル用途の電子機器に広く有用である。
【符号の説明】
【００４７】
１０    パソコン
１１    パソコン本体
１１ａ，１２ａ    側面部
１２    液晶表示部
１３    ヒンジ
１４    接続端子部
１５    開口部
１６    蓋部
１７    駆動歯車
１８    遊び歯車
１９    第１の従動歯車
２０    第２の従動歯車
２１    ラック歯車
２２    第１の伝達プーリー
２３    第２の伝達プーリー
２４，２７    ワイヤー
２５    駆動プーリー
２６    従動プーリー
【図１】
2011018667.tif 000003
【図２】
2011018667.tif 000004
【図３】
2011018667.tif 000005